(57)【要約】【課題】多種類の開口付き外壁パネルの在庫を抱えることなく、プラン上必要な種類の開口を具えた外壁パネルを容易に形成できる外壁パネルにおける開口の形成方法を提供する。【解決手段】左右一対の竪枠と、該竪枠間に設けられる竪桟の屋外側、屋内側に外装材、内装材を貼着してなる外壁パネルに、窓、出入口などの開口を形成する方法であって、外装材、内装材、竪桟の開口範囲を切除する切除工程と、切除された外装材と内装材の間隙を塞ぎながら開口の上下縁を水平に延びる開口下地材と、矩形枠状のサッシ枠下地材を開口の外周に取付ける下地組立工程と、前記サッシ枠下地材の内側にサッシ枠を固定するサッシ枠取付け工程とを含み、さらには２以上の外壁パネルを横方向に並べて繋ぐ連結工程を含む。【選択図】  図５
2004225360.tif 000002
【特許請求の範囲】
【請求項１】
左右一対の竪枠と、該竪枠間に設けられる竪桟の屋外側、屋内側に外装材、内装材を貼着してなる外壁パネルに、窓、出入口などの開口を形成する方法であって、
外装材、内装材、竪桟の開口範囲を切除する切除工程と、
切除された外装材と内装材の間隙を塞ぎながら開口の上下縁を水平に延びる開口下地材と、矩形枠状のサッシ枠下地材を開口の外周に取付ける下地組立工程と、
前記サッシ枠下地材の内側にサッシ枠を固定するサッシ枠取付け工程とを含むことを特徴とする外壁パネルにおける開口の形成方法。
【請求項２】
２以上の外壁パネルを横方向に並べて繋ぐ連結工程を含むことを特徴とする請求項１記載の外壁パネルにおける開口の形成方法。
【請求項３】
前記切除工程で、側部に位置する竪枠の内一方の竪枠を取り外すとともに開口の上下に位置し竪枠に隣接する内装材を分割して取り外し、かつ前記下地組立工程で、該竪枠と分割し取り外した分割内装材とを元の位置に取り付けることを特徴とする請求項１又は２記載の外壁パネルにおける開口の形成方法。
【請求項４】
前記下地組立工程で、サッシ枠下地材と外装材の間にバックアップ材を装填し、前記サッシ枠取付け工程で、外装材と、サッシ枠と、バックアップ材とで囲まれた凹部にシーリング材を充填することを特徴とする請求項１〜３のいずれかに記載の外壁パネルにおける開口の形成方法。
【請求項５】
前記竪枠は外竪枠と内竪枠とからなり、前記切除工程で、前記内竪枠の開口範囲の切除を含むことを特徴とする請求項１〜４のいずれかに記載の外壁パネルにおける開口の形成方法。
【発明の詳細な説明】
【０００１】
【発明の属する技術分野】
本発明は、多くの在庫をもつことなく必要な外壁パネルの供給を可能とするため、建築物の外壁を構成する外壁パネルに新たな開口を追加して形成する方法に関する。
【０００２】
【従来の技術】
近年、建築工法の工業化にともない、予め工場で、特定のモジュール寸法に従い、矩形状のパネル枠の両側に外壁材、内装材を貼着した外壁パネルを作成し、建築現場でこれを固定して、工期短縮、品質安定を図るパネル工法が普及している。
そして、図１３に示すように、外壁に通常形成される腰高の洋窓ｗ１、和室窓、ベランダ、テラス等に面した出入り口ｗ２、浴室洗面トイレ等の空間に設けられる小型の設備窓ｗ３等各種の開口ｗを備えた外壁パネルｐが製造され、必要なパネル品種を選択固定して外壁を形成している。
【０００３】
【発明が解決しようとする課題】
しかしながら、建築物の外観のバリエーションから材質、色、柄等外装材に多様な仕様が要求され、この外装材の仕様に従い、開口のサッシの種類も多種選択され、更に外パネルの中の開口形成位置も左右中央等様々必要となり、開口付き外壁パネルの種類は相当多数になる。このためこれを予め製造、在庫し、必要な品種に応じて出荷するため相当の工数と在庫スペースが必要となる。
【０００４】
特に、パネル工法の建築物は、外観の流行性、外装材等材料メーカーが製造する建材の変遷等により、一定期間毎に外壁パネルの仕様が変化し、既築建築物の増改築に際し、これに対応するため開口付き外壁パネルを製造、在庫することは困難である。従って、増改築をパネル工法で行う場合には、必要な仕様の開口付き外壁パネルを別途設計、製造する所謂特注の形態で製造する必要があり、相当の期間と手間とコストを要するという問題がある。
【０００５】
本発明は、以上のような問題点に鑑み案出なされたもので、多種類の開口付き外壁パネルの在庫を抱えることなく、プラン上必要な種類の開口を具えた外壁パネルを容易に形成できる外壁パネルにおける開口の形成方法に関する。
【０００６】
【課題を解決するための手段】
本発明のうち請求項１記載の発明は、左右一対の竪枠と、該竪枠間に設けられる竪桟の屋外側、屋内側に外装材、内装材を貼着してなる外壁パネルに、窓、出入口などの開口を形成する方法であって、外装材、内装材、竪桟の開口範囲を切除する切除工程と、切除された外装材と、内装材との間隙を塞ぎながら開口の上下縁を水平に延びる開口下地材と、矩形枠状のサッシ枠下地材とを開口の外周に取付ける下地組立工程と、前記サッシ枠下地材の内側にサッシ枠を固定するサッシ枠取付け工程とを含むことを特徴とする外壁パネルにおける開口の形成方法である。
【０００７】
これにより、予め多種仕様の開口付きの外壁パネルの製造、在庫し、必要な品種に応じて出荷するために要していた相当の工数と在庫スペースを減少できるとともに建築主のニーズ、建築条件の制約等に対応したパネル工法の建築物を可能とする。特に、建築物の増改築に際しては、外装材の種類、壁の厚さ、高さ等既築部の仕様に適合する無開口の外壁パネルをもつだけで、増改築プランから必要となる大きさ、種類の開口を具えた外壁パネルを形成することができるため、多種仕様の開口付きの外壁パネルの製造、在庫をもつことなく、建築主のニーズ、建築条件の制約等に対応したパネル工法よる増改築を可能とする。
【０００８】
請求項２の発明は、２以上の外壁パネルを横方向に並べて繋ぐ連結工程を含むことを特徴とし、広幅の開口の形成を可能とする。
【０００９】
請求項３の発明は、前記切除工程で、一方の竪枠を取り外すとともに開口の上下に位置し竪枠に隣接する内装材を分割して取り外し、かつ前記下地組立工程で、該竪枠と分割し取り外した分割内装材とを元の位置に取り付けることにより、前記サッシ枠下地材の一側に上下に延びる竪下地の使用を可能とし、外壁パネルの剛性を高めることができる。
【００１０】
また、前記下地組立工程で、サッシ枠下地材と外装材の間に装填したバックアップ材により形成される凹部にシーリング材を充填することより、開口廻りの水密性を高めることができ、さらには、前記切除工程で、前記竪枠を構成する内竪枠の開口範囲を切除することにより、幅の広い開口を形成することができる。
【００１１】
【発明の実施の形態】
以下本発明の実施の一形態を図面に基づき説明する。
本発明は、図１に例示した左右一対の竪枠１、１と該竪枠１、１間に設けられる竪桟２の屋外側、屋内側に外装材３、内装材４を貼着してなる外壁パネルＰに、窓、出入口などの開口Ｗを形成する方法に関する。前記竪枠１は、外竪枠１Ａと内竪枠１Ｂとからなり、重ね合わせ釘で一体化され、外竪枠１Ａの外側面に、隣接する外壁パネルＰと相じゃくり継手を形成するために段２０を設けている。左右の竪枠１、１間には、その上下に上枠２１、下枠２２が架設し釘止め、接着等で固定され、かつ上枠２１、下枠２２間に竪桟２が取付けられ、矩形枠状のパネルフレーム２３を形成している。これらパネルフレーム２３の竪枠１、竪桟２、上枠２１、下枠２２は、松、杉、ラワン、集成木材等木質材のほか、木粉押出し成形材、セメント押出し材、軽鉄型鋼等切除容易な材料が使用される。
【００１２】
前記外装材３は、繊維補強セメント板、けい酸カルシウム板、金属系サイディングボード、ＡＬＣ板等を用い、また前記内装材４は、石膏ボード、合板等を用い、前記パネルフレーム２３の屋外側、屋内側にビス、釘、取付金物等で固定される。
【００１３】
また、本例の外壁パネルＰは下枠２２が建築物の土台、上階の梁に設けられたパネル受（図示せず）に支持されるとともに上枠２１に設けたパネル固定金物２４が建築物の梁下面のパネル受金物（図示せず）に固定されることにより、建築物に取付けられる。
【００１４】
本発明の外壁パネルにおける開口の形成方法Ａは、一対の外壁パネルＰ１、Ｐ２を横方向に並べて繋ぐ連結工程と、外装材３、内装材４、竪枠１、竪桟２の開口範囲を切除する切除工程と、切除された外装材３と内装材４の間隙Ｇを塞ぎながら開口Ｗの上下縁を水平に延びる開口下地材５と、矩形枠状のサッシ枠下地材６を開口の外周に取付ける下地組立工程と、前記サッシ枠下地材６の内側にサッシ枠７を固定するサッシ枠取付け工程とを含む。
【００１５】
また本形態では、図１に示すように、前記連結工程において、建築物の長さ単位となるモジュール幅に形成された単位外壁パネルＰ１、Ｐ２を横方向に並べ、向い合う竪枠１、１を接着、釘固定、ビス止め等の手段で固定して連結された外壁パネルＰを形成し、この連結された外壁パネルＰに開口Ｗを形成する。しかし、連結工程を含まず、前記単位外壁パネルＰ１からなる外壁パネルＰに、モジュール幅より小さな設備窓を形成することもあり、さらには、大開口を得るため、３以上の単位外壁パネルＰ１、Ｐ２、Ｐ３、−−−を横方向に並べて繋ぎ外壁パネルＰを形成することもでき、いずれのものも本発明の技術的範囲に包含される。
【００１６】
前記切除工程では、先ず開口Ｗを形成する大きさ、位置に該当する開口範囲にある外装材３、内装材４の周囲を、回転鋸、カッター等の切削具を用いて切削するとともに前記竪枠１、竪桟２に対する釘、ビス等の固定を外して、外装材３、内装材４の開口範囲を切除する。本形態は外壁パネルＰの全幅に亘る腰高の洋窓からなる開口Ｗを形成するものであり、図２の如く、外装材３、内装材４の下端より約５分の２乃至５分の４の高さの範囲を切除する。また、後に行う下地組立工程において、部材の挿入空間確保のため、図３に示すように、内装材４は外装材３より、上下共少し広い範囲で切除する。
【００１７】
前記外装材３、内装材４の切除に続き、外装材３、内装材４が切除されて開口範囲に露出する竪枠１、竪桟２を、前記内装材４の切削位置に合わせて、鋸、カッター等の切削具を用いて切除する。また、切除工程において外装材３、内装材４間に装填されていた、断熱材２９、配線管等も開口範囲内は除去する。
【００１８】
前記単位外壁パネルＰ１単体からなる外壁パネルＰに、小幅の設備窓からなる開口Ｗを形成するときなど、開口範囲に切除を必要とする竪枠１がない場合は、竪桟２のみを切除する。また本形態では、図４に示すように、前記竪枠１は外竪枠１Ａと内竪枠１Ｂとからなり、切除工程で、外竪枠１Ａ、内竪枠１Ｂ間の釘による固定を外すとともに内竪枠１Ｂの開口範囲を切除する。これにより、内竪枠１Ｂの厚み寸法分竪枠１の幅を減じ、広幅の開口形成を可能とする。
【００１９】
また、本形態では、外装材３、内装材４と竪枠１、竪桟２の固定を分離して切除しているが、外装材３、内装材４と竪枠１、竪桟２が固定された状態で一体に切除することもできる。
【００２０】
前記下地組立工程では、開口下地材５と、矩形枠状のサッシ枠下地材６を開口の外周に取付けを行う。前記開口下地材５は、図５、図６に示すように、開口Ｗの幅に等しい長さと、外装材３、内装材４の間隔に等しい幅を具えた断面矩形の長尺材からなり、松、杉、ラワン等木材で形成され、本態様では、前記左右の外竪枠１Ａ、１Ａ間に接着、ビス固定等で取付け、切除された外装材３と内装材４の間隙Ｇを塞ぐ。また前記開口下地材５の内表面には、塩化ビニル、ポリ酢酸ビニル、ポリ塩化ビニリデン、ポリエチレン、ブチルゴム、アクリルゴム等を用いた水密層２５が形成されているため、外壁パネルＰ内部に対する防水性が高い。
【００２１】
また、前記サッシ枠下地材６は、上下の横下地６Ａ、６Ａと、左右の竪下地６Ｂ、６Ｂとからなり、松、杉、ラワン等木材で形成され、この横下地６Ａ、６Ａを前記開口下地材５の内側に、竪下地６Ｂ、６Ｂを外竪枠１Ａ、１Ａの内側に各々接着、ビス固定等で取付けることにより、開口Ｗの内周にサッシ枠７を受ける矩形枠状の下地を形成する。
【００２２】
また、図８に示すように、後に続くサッシ枠取付け工程で行うシールリング材充填を容易に行うため、外装材３と前記サッシ枠下地材６の間に、ウレタンフォーム、ポリエチレンフォーム、ゴムスポンジ等を用いたバックアップ材８を圧入して装填する。
【００２３】
続くサッシ枠取付け工程で、図７に示すように、前記サッシ枠下地材６の内側にサッシ枠７を固定する。サッシ枠７は、上サッシレール７ａと、下サッシレール７ｂと、左右の竪サッシ枠７ｃ、７ｃとからなり、各々所定断面にアルミ材で押出成形し、所定寸法に切断するとともに、交差部でビス、ジョイント金物（図示せず）により接合し矩形枠状に組立てたもので、市販される一般構造の部材を使用する。また、前記サッシ枠７は、図８に示すように、外装材３寄りの位置で、その内側から取付ビス２６により、前記サッシ枠下地材６に固定する。
【００２４】
次に、外装材３とサッシ枠７の間から、外壁パネルＰ内に雨水等の浸入を防止するために、外装材３の端面と、サッシ枠７の裏面と、前記下地組立工程で外装材３とサッシ枠下地材６の間に充填したバックアップ材とで囲まれた凹部９に、シリコーン系、ポリウレタン系、アクリルエマルジョン系、ブチルゴム系等のシーリング材１０を充填する。
【００２５】
また、図８に示すように、内装材４の端部よりも内側に位置する開口下地材５と、サッシ枠下地材６とを被覆するとともに内装材４の開口Ｗの縁部の段差をなくすため、開口下地材５と、サッシ枠下地材６の屋内側表面に、内装材４と同厚で、開口Ｗの縁部に石膏ボード等で形成した帯板２７を接着、ビス等で固定する。また、この帯板２７に替えて、開口Ｗの内装材４側の周縁に断面Ｌ字状の額縁材を設けることもできる。
【００２６】
なお、図９に示すように、開口Ｗを形成した外壁パネルＰは、隣接する外壁パネルＰの間に隙間なく取付けられ、設計上必要な開口Ｗを外壁２８に形成する。
【００２７】
以上の工程により、必要な開口Ｗの幅に応じて、本形態では一対のモジュール寸法幅に形成された単位外壁パネルを連結して外壁パネルを形成し、或いは、小窓など小幅の開口Ｗの形成のときは、単位外壁パネルからなる外壁パネルを用いて、プラン上必要な大きさ、種類の開口Ｗを形成することができるため、新築、増改築を含め、開口付きの外壁パネルの在庫を抱えることなく、或いは、その種類を標準的なパターンに制限することができる。これにより、予め多種仕様の開口付きの外壁パネルの製造、在庫し、必要な品種に応じて出荷するために要していた相当の工数と在庫スペースを減少でき、大幅に合理化できる。
【００２８】
また、建築物の外観、プランのバリエーションから多様な仕様が要求される開口Ｗを外壁パネルＰに簡単に形成できるため、建築主のニーズ、建築条件の制約等に対応したパネル工法の建築物を可能とする。
【００２９】
特に、建築物の増改築に際しては、外装材３の種類、壁の厚さ、高さ等既築部の仕様に適合する無開口の外壁パネルＰをもつだけで、増改築プランから必要となる大きさ、種類の開口Ｗを具えた外壁パネルＰを形成することができるため、多種仕様の開口付きの外壁パネルの製造、在庫をもつことなく、建築主のニーズ、建築条件の制約等に対応したパネル工法よる増改築を可能とする。
【００３０】
また、本態様では、建築物本体に取付ける前の外壁パネルＰに、開口Ｗを形成しているが、建築物本体に取付けた状態の外壁パネルＰに、開口Ｗを形成することも可能であり、さらには、増改築において、既築建物に予ねてから建て込まれている無開口の外壁パネルＰに、開口Ｗを形成する等の方法も採用でき、いずれの方法も本発明の技術的範囲に包含される。
【００３１】
本発明の外壁パネルにおける開口の形成方法Ｂは、切除工程と、下地組立工程と、サッシ枠取付け工程とを含み、前記切除工程で、側部に位置する外竪枠１Ａの内一方の外竪枠１Ａを取り外すとともに開口の上下に位置し外竪枠１Ａに隣接する内装材４を分割して取り外し、かつ前記下地組立工程で、該外竪枠１Ａと分割し取り外した分割内装材４ａとを元の位置に取り付けることを特徴とする。なお、外壁パネルにおける開口の形成方法Ｂは、前記内容を除き、前記外壁パネルにおける開口の形成方法Ａと同じであるため、その異なる内容とこれに基づく作用効果を中心に以下説明する。
【００３２】
外壁パネルにおける開口の形成方法Ｂは、前記態様と同じく、切除工程で、外装材３、内装材４、竪桟２の開口範囲を切除する。図１０、図１１に示すように、竪枠１は外竪枠１Ａと内竪枠１Ｂとからなり、外竪枠１Ａと、内竪枠１Ｂとは釘による固定を外し、一方の内竪枠１Ｂａは開口範囲を切除し、他方の内竪枠１Ｂｂは外竪枠１Ａｂと共に、切断することなくその全体を外壁パネルＰから取り外す。そして外竪枠１Ａｂのみ再組立のため保管する。
【００３３】
次に、既に開口範囲を切除されて、該開口範囲の上下で残った内装材４に対し、竪桟２に重なる箇所で切断するとともに、前記取り外した外竪枠１Ａｂに隣接する側端縁から前記切断箇所までを分割内装材４ａとして取り外す。
【００３４】
次の、開口下地材５と、矩形枠状のサッシ枠下地材６を開口の外周に取付けを行う下地組立工程で、サッシ枠下地材６の内、内竪枠１Ｂｂ全体を取り外した側（図１１において左側）に、パネルフレーム２３の上枠２１と、下枠２２間に延びる長さの竪下地６Ｂａを取付ける。次いで、図１２に示すように、一旦取り外した外竪枠１Ａｂを固定し、さらに分割内装材４ａを取付ける。このように、分割内装材４ａを一旦取り外すことにより、上枠２１と、下枠２２間に延びる長さの竪下地６Ｂａの取付けを可能とし、開口Ｗ形成により強度が落ちる外壁パネルＰの剛性を高めることができる。
【００３５】
続くサッシ枠取付け工程で、前記サッシ枠下地材６の内側にサッシ枠７を固定する。
【００３６】
また、本発明の前記切除工程で、外装材３を一旦全て取り外し、パネル内への浸水防止のため、パネルフレーム２３と外装材３間に水密シートを設けた後、開口範囲を除いた外装材３を再度取付けることもできる。
【００３７】
【発明の効果】
上述したように、請求項１記載の発明では、左右一対の竪枠と、該竪枠間に設けられる竪桟の屋外側、屋内側に外装材、内装材を貼着してなる外壁パネルに、窓、出入口などの開口を形成する方法であって、外装材、内装材、竪桟の開口範囲を切除する切除工程と、切除された外装材と内装材の間隙を塞ぎながら開口の上下縁を水平に延びる開口下地材と、矩形枠状のサッシ枠下地材を開口の外周に取付ける下地組立工程と、前記サッシ枠下地材の内側にサッシ枠を固定するサッシ枠取付け工程とを含むことにより、予め多種仕様の開口付きの外壁パネルの製造、在庫し、必要な品種に応じて出荷するために要していた相当の工数と在庫スペースが減少して、大幅な合理化が可能となり、また、建築物の外観、プランのバリエーションから多様な仕様が要求される開口を外壁パネルに簡単に形成できるため、建築主のニーズ、建築条件の制約等に対応したパネル工法の建築物を可能とする。特に、建築物の増改築に際しては、外装材の種類、壁の厚さ、高さ等既築部の仕様に適合する無開口の外壁パネルをもつだけで、増改築プランから必要となる大きさ、種類の開口Ｗを具えた外壁パネルを形成することができるため、多種仕様の開口付きの外壁パネルの製造、在庫をもつことなく、建築主のニーズ、建築条件の制約等に対応したパネル工法よる増改築を可能とする。
【００３８】
さらに２以上の外壁パネルを横方向に並べて繋ぐ連結工程を含むことにより、広幅の開口の形成を可能とし、また前記切除工程で、側部に位置する竪枠の内一方の竪枠を取り外すとともに開口の上下に位置し竪枠に隣接する内装材を分割して取り外し、かつ前記下地組立工程で、該竪枠と分割し取り外した分割内装材とを元の位置に取り付けることにより、開口範囲を越えて上下に延びるサッシ枠下地材の取付けを可能とし、開口の形成により強度が落ちる外壁パネルの剛性を高めることができる。
【００３９】
さらに前記切除工程で、前記竪枠を構成する内竪枠の開口範囲を切除することにより、幅の広い開口を形成することができる。
【図面の簡単な説明】
【図１】本発明の実施の一形態の連結工程を示す斜視図である。
【図２】その切除工程を示す斜視図である。
【図３】その縦断面図である。
【図４】その横断面図である。
【図５】下地組立工程を示す斜視図である。
【図６】その縦断面図である。
【図７】サッシ枠取付け工程を示す斜視図である。
【図８】その縦断面図である。
【図９】開口を形成した外壁パネルの取付状態を示す横断面図である。
【図１０】本発明の異なる実施の形態の切除工程を示す横断面図である。
【図１１】その下地組立工程を示す斜視図である。
【図１２】サッシ枠取付け工程を示す斜視図である。
【図１３】従来技術を示す分解斜視図である。
【符号の説明】
１      竪枠
１Ａ    外竪枠
１Ｂ    内竪枠
２      竪桟
３      外装材
４      内装材
４ａ    分割内装材
５      開口下地材
６      サッシ枠下地材
７      サッシ枠
８      バックアップ材
９      凹部
１０    シーリング材
Ｇ      間隙
Ｐ      外壁パネル
Ｗ      開口
【図１】
2004225360.tif 000003
【図２】
2004225360.tif 000004
【図３】
2004225360.tif 000005
【図４】
2004225360.tif 000006
【図５】
2004225360.tif 000007
【図６】
2004225360.tif 000008
【図７】
2004225360.tif 000009
【図８】
2004225360.tif 000010
【図９】
2004225360.tif 000011
【図１０】
2004225360.tif 000012
【図１１】
2004225360.tif 000013
【図１２】
2004225360.tif 000014
【図１３】
2004225360.tif 000015